(57)【要約】【課題】局所へのフィット性が良好で、持ち運びにかさ張らない吸収性物品を提供することを目的とする。【解決手段】液透過性のトップシートと、不液透過性のバックシートと、トップシートとバックシートとの間に配置された吸収体を備え、長手方向に前方部と、中間部と、後方部とを有する吸収性物品であって、前方部は、頂上部と谷間部が交互に形成されるように連なる奇数個の山型を前位端に備え、中間部は、前方部より狭い幅を有し、後方部は、中央部より広く、前方部より狭い幅を有し、少なくとも１本のエンボスが施される仮想線が谷間部から前方部、中間部及び後方部を経由して別の谷間部にかけて略Ｕ字状に延在する吸収性物品である。【選択図】図１
2015104529.tif 000002
【特許請求の範囲】
【請求項１】
液透過性のトップシートと、
不液透過性のバックシートと、
前記トップシートと前記バックシートとの間に配置された吸収体を備え、
長手方向に前方部と、中間部と、後方部とを有する吸収性物品であって、
前記前方部は、頂上部と谷間部が交互に形成されるように連なる奇数個の山型を前位端に備え、
前記中間部は、前記前方部より狭い幅を有し、
前記後方部は、前記中間部より広く、前記前方部より狭い幅を有し、
少なくとも１本のエンボスが施される仮想線が前記谷間部から前記前方部、前記中間部及び前記後方部を経由して別の前記谷間部にかけて略Ｕ字状に延在することを特徴とする吸収性物品。
【請求項２】
前記エンボスは、少なくとも前記後方部において、連続するエンボスであることを特徴とする請求項１に記載の吸収性物品。
【請求項３】
さらに、幅方向に横断する幅エンボスが前記前方部と前記中間部の境界又はその近傍に形成されることを特徴とする請求項１または２に記載の吸収性物品。
【請求項４】
前記前方部の長手方向の長さ（Ｌａ）と前記中間部の長手方向の長さ（Ｌｂ）と前記後方部の長手方向の長さ（Ｌｃ）の比（Ｌａ／Ｌｂ／Ｌｃ）が４／３／３ないし５／３／２であることを特徴とする請求項１ないし３のいずれか１項に記載の吸収性物品。
【請求項５】
４ｍｍ以下の厚さを有することを特徴とする請求項１ないし４のいずれか１項に記載の吸収性物品。
【請求項６】
前記前方部は、３個または５個の前記山型を備え、
中央に備える前記山型が中央以外に備える前記山型より広い幅方向の長さを有することを特徴とする請求項１ないし５のいずれか１項に記載の吸収性物品。
【請求項７】
前記前方部は、５個の前記山型を備え、
前記略Ｕ字状のエンボスは、２本形成されることを特徴とする請求項１ないし６のいずれか１項に記載の吸収性物品。
【発明の詳細な説明】
【技術分野】
【０００１】
本発明は、吸収性物品に関する。
【背景技術】
【０００２】
近年、咳やクシャミをしたときや、重い物を持ったときに起こる腹圧性尿失禁や、前立腺肥大症等による尿失禁を引き起こす中高年が増加している。尿失禁の場合、例え少量であっても下着に吸収しきれないことが多く、ボトムスや下着へのシミとなったり、においが漏れたりすることから、その対策として、尿吸収パッドのような吸収性物品を装着することとなる。
【０００３】
このような吸収性物品としては、生理用ナプキン等の吸収性物品と同形状、すなわち、略長方形かつ平面状のものが多い（例えば、特許文献１参照。）。一方、男女間における局所の構造上の相違点を踏まえた、吸収性物品が開発されている。例えば、特許文献２には、不織布シートを熱成型してなるカップ状の外装体と、液透過性のトップシートと、前記外装体と前記トップシートの間に配置される吸収層とを備えた男性用尿取り体であって、外装体の長手方向中央がその隣接部より狭幅になっていて、かつ該外装体の側縁に使用者の肌と接触する平坦部が設けられている男性用尿取り体の発明が開示されている。
【先行技術文献】
【特許文献】
【０００４】
【特許文献１】特開２００９−１４８４４１号公報
【特許文献２】特開２０１１−６２２２５号公報
【発明の概要】
【発明が解決しようとする課題】
【０００５】
しかしながら、略長方形状かつ平面状の吸収性物品は、特に男性用の場合、排尿位置が変化しやすく、局所へのフィット感が得られにくいため、尿失禁が生じた際に、横漏れが生じやすい、という問題があった。
【０００６】
また、ドーム形状の吸収性物品は、その立体形状ゆえ、平面状の吸収性物品と比較して嵩張り、持ち運びに不便である、という問題があった。
【０００７】
本発明は、かかる点に鑑みてなされたものであり、局所へのフィット性が良好で、持ち運びにかさ張らない吸収性物品を提供することを目的とする。
【課題を解決するための手段】
【０００８】
このような目的を達成するため、本発明は、以下の構成によって把握される。
（１）本願発明に係る１つの態様は、
液透過性のトップシートと、
不液透過性のバックシートと、
トップシートと前記バックシートとの間に配置された吸収体を備え、
長手方向に前方部と、中間部と、後方部とを有する吸収性物品であって、
前方部は、頂上部と谷間部が交互に形成されるように連なる奇数個の山型を前位端に備え、
中間部は、前方部より狭い幅を有し、
後方部は、中間部より広く、前方部より狭い幅を有し、
少なくとも１本のエンボスが施される仮想線が谷間部から前方部、中間部及び後方部を経由して別の谷間部にかけて略Ｕ字状に延在する吸収性物品を提供する。
【０００９】
（２）上記（１）に記載の吸収性物品において、
エンボスは、少なくとも後方部において、連続するエンボスであってもよい。
【００１０】
（３）上記（１）又は（２）に記載の吸収性物品において、
さらに、幅方向に横断する幅エンボスが前方部と中間部の境界又はその近傍に形成されるものであってもよい。
【００１１】
（４）上記（１）から（３）のいずれかに記載の吸収性物品において、
前方部の長手方向の長さ（Ｌａ）と中間部の長手方向の長さ（Ｌｂ）と後方部の長手方向の長さ（Ｌｃ）の比（Ｌａ／Ｌｂ／Ｌｃ）が４／３／３ないし５／３／２であってもよい。
【００１２】
（５）上記（１）から（４）のいずれかに記載の吸収性物品において、
４ｍｍ以下の厚さを有するものであってもよい。
【００１３】
（６）上記（１）から（５）のいずれかに記載の吸収性物品において、
前方部は、３個または５個の山型を備え、
中央に備える山型が中央以外に備える山型より広い幅方向の長さを有するものであってもよい。
【００１４】
（７）上記（１）から（６）のいずれかに記載の吸収性物品において、
前方部は、５個の山型を備え、
略Ｕ字状のエンボスは、２本形成されるものであってもよい。
【発明の効果】
【００１５】
本発明によれば、局所へのフィット性が良好で、持ち運びにかさ張らない吸収性物品を提供することが可能となる。
【図面の簡単な説明】
【００１６】
【図１】（ａ）は、本発明に係る山型が３個の吸収性物品の概略構成図、（ｂ）は、本発明に係る山型が５個の吸収性物品を示す概略構成図である。
【図２】図１（ａ）に示す吸収性物品における、Ｘ−Ｘ断面図である。
【図３】本発明に係る吸収性物品の下着への装着図である。
【図４】（ａ）は、本発明に係る山型が３個の吸収性物品の立体形成態様を示す斜視図、（ｂ）は、本発明に係る山型が５個の吸収性物品の立体形成態様を示す斜視図、（ｃ）は、本発明に係る山型が３個の吸収性物品の別の立体形成態様を示す斜視図、（ｄ）は、本発明に係る山型が５個の吸収性物品の別の立体形成態様を示す斜視図である。
【図５】本発明に係る吸収性物品の背面図である。
【発明を実施するための形態】
【００１７】
上記課題を解決するため、本発明の吸収性物品の好ましい実施の形態（以下、「実施形態」という。）を、添付図面を参照して以下に詳細に説明する。なお、実施形態の説明は、全体を通して同じ要素には同じ番号を付している。また、本発明の用語のうち、「長手方向」とは図１（ａ）の上下方向（吸収性物品の長辺に沿った方向）を、「幅方向」とは左右方向（長手方向と直交する方向）をそれぞれ意味する。
【００１８】
図１（ａ）は、山型が３個の吸収性物品の概略構成図であり、図１（ｂ）は、山型が５個の吸収性物品を示す概略構成図である。また、図２は、図１（ａ）に示す吸収性物品における、Ｘ−Ｘ断面図である。図２に示すとおり、吸収性物品１は、肌と接触する側から順に、液透過性のトップシート１１、吸収体１３、液不透過性のバックシート１２とを含む構成となっている。また、吸収性物品１は、液拡散性シート１８及び粘着部２０を備えることができる。トップシート１１及びバックシート１２は、吸収体１３を上下に挟み込む形で積層し、その周囲が一部あるいは全周に渡ってホットメルト接着剤（図示せず）により固定されている。
【００１９】
図１（ｂ）に示すように、吸収性物品１の長手方向の長さＬは、横漏れ防止とフィット感とのバランスの観点から、２５０ｍｍ以上４００ｍｍ以下が好ましく、３００ｍｍ以上４００ｍｍ以下がより好ましい。また、吸収性物品１の厚さを４ｍｍ以下とすることにより、使用者が装着したときに発生する違和感を減少させることができる。
【００２０】
吸収性物品１は、前方部Ａ、中間部Ｂ、後方部Ｃを有しており、前方部Ａ、中間部Ｂ及び後方部Ｃの側縁は、内側に凹状となるような曲線でつながっている。ここで、前方部Ａとは、吸収性物品１を着用する際、使用者の腹側であって、中間部Ｂより前方に位置する部位を意味する。後方部Ｃとは、吸収性物品１を着用する際、使用者の背側であって、中間部Ｂより後方に位置する部位を意味する。
【００２１】
図３は、本発明に係る吸収性物品の下着への装着図である。前方部Ａは下着の前部の内面に折り曲がるように取り付けるものであり、中間部Ｂは、使用者の股部に位置している。後方部Ｃは、股部の後方に位置している。
【００２２】
前方部Ａの長手方向の長さ（Ｌａ）と中間部Ｂの長手方向の長さ（Ｌｂ）と後方部Ｃの長手方向の長さ（Ｌｃ）の比（Ｌａ／Ｌｂ／Ｌｃ）は、フィット性と漏れ防止の観点から、４／３／３ないし５／３／２が好ましい。
【００２３】
前方部Ａの幅方向の長さＷａは、カバーできる範囲を広げ、上記に示す立体形状への形成性を向上する観点から、最大幅で１００ｍｍ以上３００ｍｍ以下が好ましく、１５０ｍｍ以上２４０ｍｍ以下がより好ましい。また、中間部Ｂの幅方向の長さＷｂは、前方部Ａの幅方向の長さＷａより狭い幅を有しており、下着への装着性の観点から、最小幅で３０ｍｍ以上１００ｍｍ以下が好ましく、５０ｍｍ以上８０ｍｍ以下がより好ましい。さらに、後方部Ｃの幅方向の長さＷｃは、中央部Ｂの幅方向の長さＷｂより広く、前方部Ａの幅方向の長さＷａより狭い幅を有しており、使用者の大腿部後方から臀部へのフィット性の観点から、最大幅で７０ｍｍ以上１２０ｍｍ以下が好ましく、６０ｍｍ以上１００ｍｍ以下がより好ましい。
【００２４】
そして、前方部Ａの最大幅（Ｗａ）と中間部Ｂの最小幅（Ｗｂ）と後方部Ｃの最大幅（Ｗｃ）の比（Ｗａ／Ｗｂ／Ｗｃ）は、横漏れ防止及び局所から臀部へのフィット性の観点から、（１０〜３０）／（３〜１０）／（７〜１２）が好ましい。
【００２５】
前方部Ａには、頂上部１４と谷間部１５が交互に形成されるように連なる奇数個の山型１６を前位端に備えている。そして、図１（ａ）及び図１（ｂ）に示すように、少なくとも１本のエンボスが施される仮想線１７１が、谷間部１５から前方部Ａ、中間部Ｂ及び後方部Ｃを経由して別の谷間部１５にかけて略Ｕ字状に延在する。略Ｕ字状のエンボス１７は、前方部Ａ、中間部Ｂ及び後方部Ｃを経由すれば、前方部Ａの領域の内、端点がどこであってもよく、例えば、図１（ａ）に示すように、吸収性物品１をエンボス加工する際、トップシート１１と吸収体１３との間の引きつりや千切れを防止する観点から、吸収体１３の前端部を端点としてもよい。また、図１（ｂ）に示すように、トップシート１１と吸収体１３との間の貼り合わせを強化する観点から、谷間部１５を端点としてもよい。ここで、略Ｕ字状のエンボス１７の形状とは、Ｕ字またはこれに類似する形状であることをいい、例えば、Ｃ字状のように円弧状に曲面で折り返す形状や、Ｖ字状のように直線的に折り返す形状も含まれる。略Ｕ字状のエンボス１７は、前方部Ａから後方部Ｃへと体液を誘導しながら、吸収体１３への拡散を効率よく行うことができる。
【００２６】
図４（ａ）は、山型１６が３個の吸収性物品１の立体形成態様を示す斜視図、図４（ｂ）は、山型１６が５個の吸収性物品１の立体形成態様を示す斜視図、図４（ｃ）は、山型が３個の吸収性物品の別の立体形成態様を示す斜視図、図４（ｄ）は、山型が５個の吸収性物品の別の立体形成態様を示す斜視図である。図４（ａ）及び図４（ｂ）に示すように、略Ｕ字状のエンボス１７により、吸収性物品１を折り曲げて立体形状が取りやすくなり、また、装着した際に、その立体形状を記憶させやすくすることができる。そして、この立体形状を取ることで、吸収性物品１は、横漏れを防止することができる。一方、図４（ｃ）及び図４（ｄ）に示すように、略Ｕ字状のエンボス１７に沿って、吸収性物品１をより深く折り曲げることで、前方部Ａをカップ形状に折り曲げることができ、漏れを防ぐこととなる。特に、男性の局所に対して、包み込む形状となるので、吸収性物品１は男性用に使用することが好ましい。また、吸収性物品１は、前方部Ａに谷間部１５を少なくとも２か所設けることで、屈曲時の資材（トップシート１１、吸収体１３、バックシート１２）の重複がなくなって、立体形成がしやすくなり、装着した際の違和感が軽減されてフィット性が向上する。
【００２７】
例えば、図１（ａ）に示すように、山型が３個の場合、頂上部１４が３個、谷間部１５が２個であり、略Ｕ字状のエンボス１７を１本形成することができる。また、図１（ｂ）に示すように、山型が５個の場合、頂上部１４は５個、谷間部１５が４個であり、略Ｕ字状のエンボス１７を１本あるいは２本形成することができる。略Ｕ字状のエンボス１７を２本形成することにより、前方部Ａの立体形成性及び体液拡散性を向上することができる。また、山型１６が５個以上の場合、略Ｕ字状のエンボス１７を備えていない谷間部１５付近に、長手方向に沿って、立体形成をサポートする一対のサポートエンボスを備えてもよい。
【００２８】
図１（ｂ）に示すように、前方部Ａを立体形状へと形成する際に、折り目となることで局所を包み込みやすくさせる観点から、幅方向に横断する幅エンボス１７ｗを前方部Ａと中間部Ｂの境界又はその近傍に形成することができる。また、幅エンボス１７ｗは、下着に装着する位置の目安となることで、吸収性物品１の装着位置のずれを防止し、吸収性物品１の吸収性能を効果的に発揮させることができる。吸収性物品１を個包装する際に、折り目を形成する観点から、幅方向に横断する幅エンボス１７ｗを中間部Ｂと後方部Ｃとの境界又はその近傍に形成することもできる（図示せず。）。
【００２９】
エンボス１７の形状は、ドット状や破線状といったエンボスの間隔があいているものや、格子状のハッチングを含む連続するもの等、特に限定されない。背側への漏れを防止する観点から、少なくとも後方部Ｃにおいて、連続するエンボスであってもよい。
【００３０】
前方部Ａが３個または５個の山型１６を備える場合、幅方向の中央に備える山型１６が幅方向の中央以外に備える山型１６より広い幅方向の長さを有するように形成することができる。ここで、山型１６の幅方向の長さＷ１６は、図１（ｂ）に示すように、幅方向両端の山型１６では、山型１６を形成する変曲点及び谷間部１５から長手方向に垂直線を伸ばし、幅方向と平行に引いた両点間の距離を示すものであり、幅方向両端以外の山型１６では、山型１６を形成する谷間部１５、１５から長手方向に垂直線を伸ばし、幅方向と平行に引いた両点間の距離を示すものである。中央に備える山型１６が中央以外に備える山型１６より広い幅を有することにより、幅方向の中央に備える山型１６が局所をしっかりと固定し、幅方向の中央以外に備える山型１６が局所を包み込むこととなる。前方部Ａが３個の山型１６を備える場合、中央以外に備える山型１６と中央に備える山型１６と中央以外に備える山型１６の最大幅の比は、横漏れ防止の観点から、２：６：２ないし３：４：３が好ましい。
【００３１】
本発明の吸収性物品１としては、特に制限はないが、例えば、使い捨て紙オムツ、生理用ナプキン、パンテイライナー、軽失禁パッド、ライナー等をあげることができる。
【００３２】
本実施形態のトップシート１１は、尿等の排せつ物が吸収体１３へと浸透するような液透過性を備えていればよく、例えば、サーマルボンド不織布等の不織布、サーマルボンド／スパンボンドを積層した複合不織布、開口ポリエチレンフィルム、ポリエチレンフォーム、ウレタンフォーム等の発泡フィルム、あるいは、これらを積層した複合シートといった材料を基材として形成される。また、吸収性物品１を装着した際、前方部Ａ付近の吸収体１３が重力に対して傾いて配置されているため、体液がトップシート１１の表面を走ってしまい、吸収体１３に吸収されず、漏れが生じてしまうことがある。したがって、トップシート１１は、ドライ性と漏れ防止の観点から、基材に多数の開孔を有する、いわゆるメッシュシートを用いることが好ましい。
【００３３】
さらに、肌への刺激を低減させるために、トップシート１１に、ローション、酸化防止剤、抗炎症成分、ｐＨ調整剤、抗菌剤、保湿剤等を含有させることも好ましい。さらに、強度および加工性の点から、トップシート１１の坪量は、１０ｇ／ｍ２以上５０ｇ／ｍ２以下、さらに１５ｇ／ｍ２以上３０ｇ／ｍ２以下であることが好ましい。
【００３４】
本実施形態のバックシート１２は、吸収体１３が保持している体液が滲みだしたり下着に漏れたりしないような液不透過性を備えたものであればよく、不織布、樹脂フィルム、あるいはこれらを積層した複合シートといった材料を基材として形成される。かかる不織布は、製法を特に限定せず、例えば、スパンボンドやメルトブロー不織布、あるいは、スパンボンド／メルトブロー、スパンボンド／メルトブローン／スパンボンドを積層した複合不織布及びこれらの複合材料があげられる。また、かかる樹脂フィルムとしては、例えば、ポリエステル、ポリビニルアルコール、ポリエチレン、ポリプロピレン、ポリエチレンとポリプロピレンの複合フィルム等があげられる。強度および加工性の点から、バックシート１２の坪量は、１５ｇ／ｍ２以上４０ｇ／ｍ２以下であることが好ましい。また、装着時の蒸れを防止するため、バックシート１２は透湿性を持たせることが好ましい。透湿性を備えさせるために、例えば、基材の樹脂フィルムにフィラーを配合することや、バックシート１２にエンボス加工を施すこと等があげられる。フィラーとしては、炭酸カルシウムをあげることができ、その加工方法は、公知の方法を制限なく行うことができる。
【００３５】
図５は、吸収性物品の背面図である。吸収性物品１は、吸収性物品１を下着に貼り付けて装着する際に、ズレ止めの観点から、バックシート１２の非肌当接面の領域に、粘着部２０を備えることができる。粘着部２０の形状としては、略長方形や円形、楕円形等、特に制限なく選択することができる。例えば、図５に示すように、前方部Ａが立体形状となりやすくする観点から、幅方向の中央部の範囲に収まる形状であってもよい。粘着部２０を形成する粘着剤は、特に制限なく公知の材料を用いることができる。さらに、吸収性物品１を個包装する場合、粘着部２０を保護する剥離紙を設けることもできる。
【００３６】
本実施形態の吸収体１３は、吸収性の観点から、基材と高吸収性樹脂（ＳＡＰ）を材料とすることが好ましい。基材は、吸液性、導液性、さらにＳＡＰに対する固着性を備えるものであれば特に制限はなく、例えば、フラッフパルプ、親水性シートをあげることができる。また、かかるフラッフパルプとしては、木材パルプ及び合成繊維等を綿状に解繊したもの、親水性シートとしては、ティシュ、吸収紙、親水性不織布をあげることができる。
【００３７】
吸収体１３は、上記の材料を用いて、単層あるいは複層のシート状で構成される。吸収量確保の観点から、木材フラッフパルプのような、フラッフパルプのウェブの親水性繊維マトリックスをＳＡＰと混合して形成したもの、あるいは、親水性シートにＳＡＰを塗布したＳＡＰシートが好ましい。また、ＳＡＰの漏洩防止や吸収体１３の形状を安定させる観点から、吸収体１３をティシュのような親水性のキャリアシートに包むことが好ましい。基材とＳＡＰとの吸収速度、保水性、液戻り性におけるバランスの観点から、吸収体１３におけるＳＡＰの坪量は１５０ｇ／ｍ２以上５００ｇ／ｍ２以下が好ましい。
【００３８】
吸収体１３の形状としては、特に制限はなく、例えば、吸収性物品１の外形に沿ったものや、矩形状、砂時計状、Ｉ字状等をあげることができる。
【００３９】
吸収体１３には、該吸収体１３の長手方向中央部に沿って、長手方向に延びる圧搾溝（図示せず）が形成されていることが好ましい。この圧搾溝により、吸収性物品１は長手方向に折り曲げやすくなり、装着時に局所へのフィット感を向上することができる。さらに、吸収体１３の表面にエンボス加工を施すと、尿等の排せつ物の拡散をコントロールすると共に、使用者の体型に応じて吸収体１３が容易に変形するので好ましい。
【００４０】
吸収体１３の上面への体液の拡散を促進させるために、トップシート１１と吸収体１３との間に、液拡散性シート１８を設けることができる。かかる液拡散性シート１８としては、例えば、エアスルー不織布、ポイントボンド不織布、スパンボンド不織布があげられる。液拡散性シート１８の厚さは、０．１ｍｍ以上が好ましく、その坪量は１５ｇ／ｍ２以上が好ましい。厚さが０．１ｍｍ未満、あるいは、坪量が１５ｇ／ｍ２未満であると、吸収体１３の上面全体への液体の拡散が十分に行われないので好ましくない。また、液拡散性シート１８の形状は、特に制限はないが、体液がくまなく吸収体１３に拡散するように、吸収体１３の表面を完全に覆うことができる形状であることが好ましい。
【００４１】
以上、実施形態を用いて本発明を説明したが、本発明の技術的範囲は上記実施形態に記載の範囲には限定されないことは言うまでもない。上記実施形態に、多様な変更または改良を加えることが可能であることは当業者に明らかである。また、その様な変更または改良を加えた形態も本発明の技術的範囲に含まれ得ることは、特許請求の範囲の記載から明らかである。
【符号の説明】
【００４２】
１      吸収性物品
１１    トップシート
１２    バックシート
１３    吸収体
１４    頂上部
１５    谷間部
１６    山型
１７    略Ｕ字状のエンボス
１７１  仮想線
１７ｗ  幅エンボス
１８    液拡散性シート
１９    変曲点
２０    粘着部
Ａ      前方部
Ｂ      中間部
Ｃ      後方部
Ｗａ    前方部の幅方向の長さ
Ｗｂ    中間部の幅方向の長さ
Ｗｃ    後方部の幅方向の長さ
Ｗ１６  山型１６の幅方向の長さ
Ｌ      長手方向の長さ
Ｌａ    前方部の長手方向の長さ
Ｌｂ    中間部の長手方向の長さ
Ｌｃ    後方部の長手方向の長さ
【図１】
2015104529.tif 000003
【図２】
2015104529.tif 000004
【図３】
2015104529.tif 000005
【図４】
2015104529.tif 000006
【図５】
2015104529.tif 000007